(57)【要約】【課題】  水で濡れた状態のもの又は大型の構造物（自動車など）、粘着物質等の被検体において、鮮明な指紋採取性能、操作の簡便性、無害性、長期保存性等の種々の性能を兼ね備えた指紋検出用粉体および指紋検出方法を提供する。【解決手段】  炭酸カルシウムと屈折率が１．９以上の粒子とからなる複合粒子を含有することを特徴とする指紋検出用粉体であり、屈折率が１．９以上の粒子としては酸化チタンが好ましく、さらに酸化チタン、酸化亜鉛、酸化セリウム、酸化ジルコニウムの中から選択される一種以上を含有することが好ましく、上記複合粒子を１５重量％以上含有することが好ましい。このような指紋検出用粉体は、懸濁させてスラリーとし、被検体に接触させることにより指紋隆線上に該粉体を付着させることにより指紋検出が可能となる。【選択図】  なし【特許請求の範囲】
【請求項１】
炭酸カルシウムと屈折率が１．９以上の粒子とからなる複合粒子を含有することを特徴とする指紋検出用粉体。
【請求項２】
屈折率が１．９以上の粒子が、酸化チタンである請求項１記載の指紋検出用粉体。
【請求項３】
さらに酸化チタン、酸化亜鉛、酸化セリウム、酸化ジルコニウムの中から選択される一種以上を含有する請求項１又は２記載の指紋検出用粉体。
【請求項４】
炭酸カルシウムと屈折率が１．９以上の粒子とからなる複合粒子の含有量が１５重量％以上である請求項１〜３のいずれか記載の指紋検出用粉体。
【請求項５】
請求項１〜４のいずれか記載の指紋検出用粉体を懸濁させたスラリーを、被検体に接触させることにより指紋隆線上に該粉体を付着させることを特徴とする指紋検出方法。
【発明の詳細な説明】
【技術分野】
【０００１】
本発明は、指紋検出用粉体および指紋検出方法に関し、詳細には、警察等の公安・捜査機関における鑑識用、犯罪捜査用であって、水で濡れた状態のもの又は大型の構造物（自動車など）、粘着物質等から、簡便な操作で、より効果的に潜在指紋を検出することができ、かつ長期保存の利く指紋検出用粉体および指紋検出方法に関する。
【背景技術】
【０００２】
犯罪鑑識では、潜在的に付着した指紋や足跡等の情報を視覚化して採取し、その情報を捜査官、裁判官、弁護士等に客観的に伝達しなければならない。而して、従来、指紋を採取するには、手の指が接触した箇所に指紋隆線の汗腺開口からの分泌物が付着するので、その分泌物に対して付着性の微粉末を撒布し、指紋を視覚化し、その視覚物をゼラチン紙等に転写している。
指紋検出用の粉末としては、顔料粉末を撥水性物質で表面処理してなるもの等が開示されている（例えば、特許文献１参照。）。
【０００３】
また、指紋検出に溶液又は懸濁液といった液状物質を用いる方法としては、(1)有機物質による染色又は蛍光発光による検出方法（例えば、特許文献２〜７参照。）、(2)酸化亜鉛と硫化亜鉛とを用いる方法、などが知られている。特に(2)の方法については、水で濡れた状態のもの又は大型の構造物（自動車など）等から指紋を検出する際に利用されている。
【０００４】
【特許文献１】特開平１０−１５５７７４号公報
【特許文献２】特許第１５８８９４０号明細書
【特許文献３】特開昭６３−１６１９３９号公報
【特許文献４】特開昭６３−１６１９４０号公報
【特許文献５】特開平６−１６５７７１号公報
【特許文献６】特開２００３−５２６７０号公報
【特許文献７】特開２００３−６１９３７号公報
【発明の開示】
【発明が解決しようとする課題】
【０００５】
しかしながら、上記(1)の有機物質による染色又は蛍光発光による検出方法は、有害な有機物質を使うこと、操作が煩雑であること、長期保存ができないこと、などの問題点がある。
また上記(2)の酸化亜鉛と硫化亜鉛とを用いる方法も、有害な硫化亜鉛を使うこと、長期保存ができないこと、などの問題点がある。
有害な物質を使う場合、マスク・メガネの着用や、大型構造物（ｅｘ．自動車）に塗布した際の環境への流出の問題がある。また、長期保存が利かないことから、都度写真撮影をしなければならない。
さらに個々の方法についてみると、必ずしも数多くの被検体全てに適用可能なものは少なく、例えば上記（２）の方法では、粘着物質（例えば粘着テープの粘着面など）からの指紋検出の際に、指紋以外の箇所への粒子の付着が激しく、必ずしも鮮明な指紋が採取できていないのが現状である。
【０００６】
このような中、鮮明な指紋採取性能、操作の簡便性、無害性、長期保存性等の種々の性能を兼ね備えた指紋検出粉体が嘱望されている。
本発明は、上記従来の技術の問題点を克服し、水で濡れた状態のもの又は大型の構造物（自動車など）、粘着物質等の被検体において、鮮明な指紋採取性能、操作の簡便性、無害性、長期保存性等の種々の性能を兼ね備えた指紋検出用粉体および指紋検出方法を提供しようとするものである。
【課題を解決するための手段】
【０００７】
本発明は、以下の通りである。
（１）炭酸カルシウムと屈折率が１．９以上の粒子とからなる複合粒子を含有することを特徴とする指紋検出用粉体。
（２）屈折率が１．９以上の粒子が、酸化チタンである前記（１）の指紋検出用粉体。
（３）さらに酸化チタン、酸化亜鉛、酸化セリウム、酸化ジルコニウムの中から選択される一種以上を含有する前記（１）又は（２）の指紋検出用粉体。
（４）炭酸カルシウムと屈折率が１．９以上の粒子とからなる複合粒子の含有量が１５重量％以上である前記（１）〜（３）のいずれかの指紋検出用粉体。
（５）前記（１）〜（４）のいずれか記載の指紋検出用粉体を懸濁させたスラリーを、被検体に接触させることにより指紋隆線上に該粉体を付着させることを特徴とする指紋検出方法。
【０００８】
本発明においては、炭酸カルシウムと屈折率が１．９以上の粒子とからなる複合粒子を使用することにより、鮮明な指紋採取性能、操作の簡便性、無害性、長期保存性等の種々の性能を兼ね備えた指紋検出用粉体を可能としたものである。
また、本発明の指紋検出用粉体および指紋検出方法によれば、従来の酸化亜鉛と硫化亜鉛とを用いる方法において、鮮明な指紋検出ができなかった検体も検出可能となった。
【発明の効果】
【０００９】
本発明の指紋検出用粉末および指紋検出方法によれば、水で濡れた状態のもの又は大型の構造物（自動車など）、粘着物質等の被検体において、鮮明な指紋採取ができ、操作が簡便、無害であり、長期保存が可能である。
【発明を実施するための最良の形態】
【００１０】
本発明の指紋検出用粉体は、少なくとも、炭酸カルシウムと屈折率が１．９以上の粒子とからなる複合粒子（以下、本発明の複合粒子または単に複合粒子とも称する）を含有してなる。その屈折率が１．９以上の粒子とからなる複合粒子としては、種々のものを選択することができ、例えば、酸化チタン、酸化亜鉛、酸化セリウム、酸化ジルコニウム、チタン酸カリウム、珪酸ジルコニウム、タングステン酸カルシウムなどが適用可能である。なかでも酸化チタンと炭酸カルシウムとの複合粒子は、本発明の指紋検出用粉体として、指紋への付着性、検出される指紋の鮮明性、無害である面で最も好ましい。また屈折率が１．９以上の粒子の一次粒径としては、０．１〜０．５μｍがよい。なお、屈折率が１．９未満であると、検出される指紋の鮮明性が損なわれることから、本発明の課題を達成できない。
本発明の複合粒子が含有されない指紋検出粉体、例えば炭酸カルシウム単体の場合、隆線の白色度が低く、指紋が不鮮明になるか、あるいは検出することができなくなる傾向にある。また屈折率が１．９以上の粒子、例えば酸化チタン単体の場合、被検体の種類によって、隆線以外の箇所への付着が激しくなったり、逆に隆線への付着が弱くなったりすることから、これもまた指紋が不鮮明になったり、あるいは検出することができなくなることが多々ある。
【００１１】
本発明の複合粒子の炭酸カルシウムと屈折率が１．９以上の粒子との含有割合としては、特に限定されないが、屈折率が１．９以上の粒子／炭酸カルシウム（重量比）で、０．１〜１．０が好ましい。
また、本発明の複合粒子の大きさとしては、特に限定されないが、粒径として１〜２０μｍのものが好ましい。
【００１２】
本発明の指紋検出用粉体に用いられる上記の複合粒子としては、例えば、特許第３３９２１０９号明細書、特開２００２−２８４５２３号公報、特開２００３−１１２９２１号公報、特開２００３−１３７５４４号公報、特開２００３−１３７５４８号公報等に記載のものが好適に使用できる。
これらは、炭酸カルシウムの製造工程である炭酸化反応過程において、酸化チタン粒子等を添加することにより得られるものであり、炭酸カルシウム表面に酸化チタン粒子等が固定された複合粒子である。該複合粒子の形態としては、例えば短径０．２〜１μｍ、長径１〜４μｍの紡錘状炭酸カルシウムの１〜２０μｍの凝集粒子であり、この炭酸カルシウム表面に０．１〜０．５μｍの酸化チタン粒子等が固定されたものである。なお、本発明で用いる複合粒子の好ましい粒径である１〜２０μｍとは、上記でいう凝集粒子径のことであり、レーザー回折法などにより計測される値である。
また、本発明の複合粒子は、有機酸あるいはその塩類やその他各種の表面処理剤にて処理されていてもよい。
本発明の指紋検出用粉体には、上記の複合粒子が１５重量％以上、より望ましくは２５重量％以上含有していることが好ましい。
【００１３】
さらに、本発明の複合粒子は、被検体によっては、隆線の高白色化のために酸化チタン、酸化亜鉛、酸化セリウム、酸化ジルコニウムから選ばれる少なくとも1種を混合することもできる。例えば、被検体がビニールテープ等の粘着面を有するものである場合、酸化チタンを混合することによって、より鮮明に指紋を検出することができる。これら複合粒子に混合される酸化チタン等は、その平均粒径が０．１〜１μｍであることが好適である。
【００１４】
以下に、本発明の指紋検出用粉体を用いる指紋検出方法について説明する。
本発明の指紋検出用粉体を用いて、指紋を検出する際には、本発明の指紋検出用粉体を懸濁させたスラリーを、被検体に塗布又は噴霧、浸漬等により接触させることにより、隆線上に該粉体を付着させ、指紋を検出する。
接触させる方法としては、被検体に筆や刷毛などを用いて塗布したり、スプレーなどを用いて噴霧したりできるほか、スラリーを適当な容器に入れそこに被検体を浸漬させたりする方法などが適用できる。本発明の粉体は白色系であるため、特に暗色系の被検体に適用した場合に、最も明瞭に指紋を検出することができる。該スラリーの濃度については特段の制約はなく、被検体の種類や付着指紋の状態、作業性等に応じて適宜調節することができるが、好ましくは固形分濃度が５〜３０重量％であることがよい。また、被検体によっては、該スラリーに界面活性剤を添加してもよい。この際用いる界面活性剤としては、非イオン性界面活性剤がよい。
【００１５】
本発明の指紋検出用粉体を懸濁させたスラリーを、被検体に塗布又は噴霧、浸漬等により接触させた後は、水で余分なスラリーを洗い流す。
本発明においては、炭酸カルシウムと屈折率が１．９以上の粒子とからなる複合粒子を用いることにより、鮮明な指紋採取性能、操作の簡便性、無害性、長期保存性等の種々の性能を兼ね備えた指紋検出用粉体となる。そして、隆線上に付着した粉体は透明粘着シート等に転写して保存できる。本発明の指紋検出用粉体に主として含有される複合粒子は、安定な炭酸カルシウムと酸化チタン等からなるので、検出された指紋サンプルは長期保存も可能である。
【実施例】
【００１６】
以下に本発明を実施例によって更に具体的に説明するが、勿論本発明の範囲は、これらによって限定されるものではない。
〔実施例１〕
濃度８０ｇ／Ｌの消石灰スラリー２．０Ｌに、攪拌しながら炭酸ガスを０．３５Ｌ／ｍｉｎの速度で導入し炭酸カルシウムの生成反応を行う際に、炭酸ガスの導入を開始してから５分が経過した時点で、アナターゼ型酸化チタン４５ｇを添加した。炭酸ガスの導入を継続し、スラリーのｐＨが７．０になった時点で反応を終了させ、酸化チタンと炭酸カルシウムとの複合粒子を調製した。
該複合粒子の化学分析を行ったところ、酸化チタン／炭酸カルシウム（重量比）は０．２３であった。またレーザー回折法による平均粒径は６．５μｍであった。電子顕微鏡による観察では、紡錘状炭酸カルシウム粒子表面に酸化チタン粒子が複合化していることが確認された。
【００１７】
上記の通り得られた複合粒子５０ｇを５００ｍＬの水に懸濁させて、指紋検出用のスラリーを得た。該スラリーを指紋の付着した黒色塗装鉄板に噴霧したのち、水で余分なスラリーを洗い流したところ、隆線が白色に浮かび上がり、指紋を明瞭に検出することができた。
【００１８】
〔実施例２〕
実施例１で得られた炭酸カルシウムと酸化チタンとの複合粒子５０ｇに酸化チタン１０ｇを混合したものを指紋検出用粉体として用いた以外は、実施例１と同様にして、指紋検出用のスラリーを調製し、指紋の付着した褐色粘着テープを該スラリーに浸漬したのち、水で余分なスラリーを洗い流したところ、テープ粘着面上に隆線が白色に浮かび上がり、指紋を明瞭に検出することができた。
〔実施例３〕
実施例１と同様に、指紋検出用のスラリーを調製したのち、該スラリーに界面活性剤としてポリエチレングリコール脂肪酸エステル０．２ｇを添加した。該スラリーを、指紋の付着した濃褐色塗装木板に噴霧したのち、水で余分なスラリーを洗い流したところ、隆線が白色に浮かび上がり、指紋を明瞭に検出することができた。
【００１９】
〔比較例１〕
紡錘状炭酸カルシウムのみを指紋検出用粉体として用いた以外は、実施例１と同様にして、黒色塗装鉄板からの指紋検出を行った。その結果、指紋隆線が極僅かに白色になったのみで、鮮明な指紋を検出することはできなかった。
〔比較例２〕
酸化亜鉛と硫化亜鉛の混合物（混合比１：１）を指紋検出用粉体として用いた以外は、実施例２と同様にして、褐色粘着テープの粘着面からの指紋検出を行った。その結果、粘着面全体に粒子が付着し全体が白色となり、鮮明な指紋を検出することはできなかった。
〔比較例３〕
酸化チタンのみを指紋検出粉体として用いた以外は、実施例３と同様にして、濃褐色塗装木板からの指紋検出を行った。その結果、指紋隆線に粒子がほとんど付着せず、鮮明な指紋を検出することはできなかった。
【産業上の利用可能性】
【００２０】
本発明の指紋検出用粉体および指紋検出方法は、水で濡れた状態のもの又は大型の構造物（自動車など）、粘着物質等の被検体、特に暗色系の被検体において、鮮明な指紋採取ができ、操作が簡便で、無害であり、長期保存が可能となる。